(57)【要約】【課題】  顔の美容法に関しては、さまざまな方法が行われてきたが、スキンケアーが中心であり、あくまでも現状維持や一時的な回復を期待するものであり、本質的な肌の改善にはなりえないものであった。【解決手段】炭酸温水により肌温度を４２度近傍まで高めてヒートショックプロテインを発現誘導させると同時に、炭酸温水の持つ血流増加作用により新人代謝の大幅な促進を図り、従来の美容には無い体の中にある細胞の本来持っている力を用いて紫外線により痛んだコラーゲンやエラスチンを健全な状態へ回復させる炭酸ＨＳＰ美容法であり、各種のビタミンＣ誘導体を含む美容成分を加えた炭酸温浴美容法を提案している。これにより、美容液濃度が高い温度の高い炭酸含有美容液でヒートショックプロテインを発現誘導させビタミンＣの吸収を促進させ肌の新陳代謝や美白などの美容効果を得る方法と装置を提案している。【選択図】図１
2016077836.tif 000002
【特許請求の範囲】
【請求項１】
顔に温水浴美容を行うものにおいて、顔の額上部に、肌に触れる不織布パックシートとその上側には蒸発防止シートとを設け、該蒸発防止シートは２枚の被透過性シートでその間に顔の輪郭に沿わせて形状維持ができる厚さ０．３ｍｍから１．５ｍｍの帯状の柔らかく曲がる骨材を挟んで一体化したものであり前記２種類のシートの間又は２種類のシートと顔の間に美容液を供給する供給工程を有し、顔の最外層を覆う蒸発防止シートの両側の端の部分にはゴム紐又は紐の通路を有し該通路を介してゴム紐又は紐でシートを引き締めて顔を包む装着工程を有し、さらに顔の下部位置に温水の液受け部を設け、垂れてきた温水を受け加熱機構を有するタンクを介して循環ポンプにより再び所定温度の温水を額上部に供給する循環工程と前記２種類のシートの上から手で顔に押し付けて顔の輪郭形状を保つようにする成形工程を有する顔の温水浴美用法。
【請求項２】
顔に温水浴美容を行うものにおいて、顔の額上部に、肌に触れる不織布パックシートとその上側には蒸発防止シートとを設け、該蒸発防止シートは２枚の被透過性シートでその間に顔の輪郭に沿わせて形状維持ができる厚さ０．２ｍｍから０．６ｍｍの帯状のアルミニュームの焼きなまし板材又は１Φから３Φの焼きなまし丸棒で作られた骨を挟んで一体化したものであり前記２種類のシートの間又は２種類のシートと顔の間に美容液を供給する供給工程を有し、顔の最外層を覆う蒸発防止シートの両側の端の部分にはゴム紐又は紐の通路を有し該通路を介してゴム紐又は紐でシートを引き締めて顔を包む装着工程を有し、さらに顔の下部位置に温水の液受け部を設け、垂れてきた温水を受け加熱機構を有するタンクを介して循環ポンプにより再び所定温度の温水を額上部に供給する循環工程と前記２種類のシートの上から手で顔に押し付けて顔の輪郭形状を保つようにする成形工程を有する顔の温水浴美用法。
【請求項３】
前記美容液に含有するビタミンＣ誘導体の濃度が０．１％から１５％である請求項１及び２項いづれかに記載の美容方法
【請求項４】
少なくともビタミンＣ誘導体を含む美容薬剤と５００ｐｐｍから１３００ｐｐｍの炭酸水又は炭酸温水を混合した１００ｃｃ以下の美容液を用いて行う請求項１項から３項に記載の美容方法。
【請求項５】
前記美容液が、水又は温水に炭酸水素ナトリウムと共にクエン酸、アスコルビン酸、リンゴ酸、酒石酸、フマル酸、コハク酸リン酸二水素ナトリウム、カルボキシビニルポリマー、及びＬアスコルビン酸などの少なくとも１つ以上の酸を投入して生成する炭酸水または炭酸温水であることを特徴とする請求項１から４に記載の美容方法。
【請求項６】
前記美容液が、機械的に炭酸ガスを水又は温水に吸収させることにより生成した炭酸水であることを特徴とする請求項１から５の１つ以上に記載の美容方法。
【請求項７】
前記美容液が、リン酸−アスコルビン酸マグネシウム、リン酸−アスコルビン酸ナトリウム、アスコルビン酸−２リン酸−６パルチミン酸、  パルチミン酸アスコルビルリン酸３Ｎａ、アスコルビル／トコフェリル）リン酸Ｋ、Ｌ−アスコルビン酸２−グルコシド、等のビタミンＣ誘導体、及びＬ−アスコルビン酸、グルコシルヘスペリジン、エラグ酸、グリチルリチン酸２カリウム、ウルソル酸、アルジルリン（アセチルヘキサペプチド−３）、マトリキシル（パルミトイルペンタペプチド−４）、パルミトイルテトラペプチド−７、パルミトイルオリゴペプチド、カッコンエキス、レチノール、水溶性コラーゲン、加水分解エラスチン、アテロコラーゲン、ジグリセリン、ＢＧ（１，３−ブチレングリコール）、１，２−ペンタジオール、ポリグルタミン酸、乳酸Ｎａ、ＰＣＡ−Ｎａ，プロパンジオール、グリシルグリシン、ポリオクタニウーム−５１、６１、６４、６５、ナイアシン（ビタミンＢ３）、リノレン酸、ベタイン、アスパラギン酸ナトリウム、アラニン、アラントイン、アルギニン、イソロイシン、イノシン酸２Ｎａ、グアニル酸２Ｎａ、グリシン、グルタミン酸、セリン、タウリン、チロシン、トレオニン、バリン、ヒスチジンＨＣＬ、フェニルアラニン、プロリン、リシンＨＣＬ、ロイシン等のアミノ酸類やセイヨウオオバコ種子エキス、ヒメフウロエキス、アルニカエキス、サルビアエキス、マジョラムエキス、米発酵エキス、ミツイシコンブ抽出物、アナアオサ抽出物、ホウネンエビの孵化直前の耐久卵の水抽出した活性エキス、アマモ等の海草の抽出等、マンネンロウ抽出物、イチョウ抽出物、スギナ抽出物、ベニバナ抽出物、オタネニンジン抽出物、セイヨウニワトコ抽出物、ハゴロモグサ抽出物、レンゲ抽出物、マンゴー抽出物、チェリモヤ抽出物、マンゴスチン抽出物、タベブイア・インペティギノーサ抽出物、酵母抽出物、卵殻膜抽出蛋白、ハス種子発酵液、水ナス抽出物、紫蘭根抽出物、ムラサキシキブ抽出物、イネ抽出物、サンゴ草抽出物、花粉荷エキス、の少なく物、とも１つを含有することを特徴とする請求項１から６の１つ以上に記載の美容方法。
【請求項８】
液体を吸引し送り出すポンプ機構と液体を所定の温度まで加熱する収容タンク部とを有し、収容タンク部からポンプを介し循環チューブにより顔の額上部に送り出す吐水部を設け、該吐水部に顔に接触する美容マスクとその上から覆って蒸発を防ぐ蒸発防止シートとを共に固定するクランプ機構を備えた装着部材を有する顔の温浴装置において前記装着部材がリング状で上面に数個所外側に折れ曲がった突起部を有する王冠型で容易に頭部に装着可能であるようにセットされ、顎部を覆う樹脂シート部材で構成された液受け部が前記装着部材の上から紐又はゴム紐などで固定できる構造であり、顔をつたわって垂れてきた美容液を受け循環チューブを介して前記収容タンクに回収し、前記ポンプ機構により顔の額部にある吐水部に送り出して美容液を所定の温度に保ちながら循環させる機構を有する顔の温水浴美容装置。
【請求項９】
前記クランプ機構が下側に開口したコの字型の部材の下側から顔側に液供給口を出す供給管取付け部が前面に開いたコの字型で両側にピンを備えているクランプ本体にピンをガイドにして不織布マスクを押さえるように重ねて装着しその上に外カバーを重ねて次に美容液を顔側に導くガイド板を重ねて押し込むとクランプ本体の左右の板にある突起が外側に逃げてから戻ってロックされる構造である請求項８記載の温水浴美容装置。
【発明の詳細な説明】
【技術分野】
【０００１】  顔を４２度程度のお湯などで顔の皮膚をしばらく温めると血行がよくなり化粧の載りが良くなるのは以前より知られていた。しかし、近年、皮膚を高い温度、生理体温３７度とすれば３℃高い温度にすると細胞内に眠っているタンパク質の修復再生能力を持つヒートショックプロテイン（ＨＳＰ）が発現誘導することが知られてきた。４２℃まで高くすると極めて効率よく発現誘導されＨＳＰが活性化してコラーゲンの修復や再生、又メラニンの生産を抑制することが解って生きた。このタンパク質が活性化すると肌が自ら再生してて健康な美しい肌を作り出すことが解って来た。【０００２】しかし、人間が顔をお湯に浸す場合４２℃の高い温水の中で息を止めておられる時間は１５秒位のものです。この時間内で皮膚を温め、皮膚細胞の中で通常は眠っている熱ショックタンパク質ＨＳＰ（ヒートショックプロテイン）を活性化させて、お肌の改善を行うことは難しい。このため、古くから熱い蒸しタオルで顔を覆って血行を良くしお肌の新陳代謝を高めて化粧の載りを改善させる程度の美容法が知られてきただけである。【０００３】近年、皮膚を４２℃で５分温めると、コラーゲンの再生や紫外線で壊れかかった分子構造を修理して正常な形に整えるＨＳＰ４７やＨＳＰ７０と呼ばれるヒートショックプロテインが皮膚細胞の中で活性化して美容効果を生み出すことが解って来た。又、ＨＳＰ７０と云うタンパク質はコラーゲン分解酵素の働きを抑え、メラニン産生を強く抑制する働きがあることも知られてきた。【０００４】本発明は、幾つかのヒートショックプロテインをお顔の皮膚細胞の中で活性化させる美容法として、家庭の居間などでくつろぎながら行えるようにするための装置に関する分野の開発技術に関するものである。【０００５】また、顔を高い温度に保つために使用される液の性質が美容効果を有するようにするため、その液の中に美容成分含めることに関するものであり、又この液の中に炭酸ガスを高濃度に含有させ、炭酸ガスが皮膚に吸収されて皮膚の真皮組織にある毛細血管を拡張させる性質を利用して皮膚の内部に蓄積される老廃物をより多く排泄させて真皮細胞にあるコラーゲンの生成を促進させる技術に関するものである。【０００６】炭酸ガスは溶剤には溶け込まないため水がなければならない。美容液には適当な水分量が必要となるため、水分を加える事とその水分に溶けこませる炭酸ガスの濃度に関するものである。また、顔の皮膚美容に有効な炭酸ガス濃度が５００ｐｐｍから３０００ｐｐｍになるようにした炭酸温水または炭酸水に美容成分を加えて美容効果を一層高める技術に関するものである。【０００７】顔をお風呂でお湯に浸すと同じ状態で１０分から２０分ぐらい呼吸に何の負担もかからないようにして行えるようにした技術に関するもので、この時に、皮膚にビタミンＣ誘導体や他の皮膚美容成分が浸透するように顔にお湯又は炭酸温水を長時間接触させて顔の血行を促進させながら行う顔の温水浴美容技術に関するものである。【０００８】また、本発明は、例えば４０度以上の高い温度で高濃度の炭酸温水にビタミンＣ誘導体や数種のアミノ酸及び、加水分解コラーゲン、その他の保水成分や皮膚代謝促進成分、アレルギー抑制成分等を加えた液���、ＨＳＰ活性化作用を有する植物エキスや、ピンピネラ  サキシフレイジと云うセリ科の植物の地上部から生成されるエキスが美白効果や抗酸化効果や老化防止効果を有することが特開２０１１−１２０２７で公開されているものに関する。【０００９】本美容方法は特開２０１１−１２０２７の効果よりも、炭酸温水が持つ毛細血管の血流増加作用と高温の炭酸水により皮膚細胞内で高温になると活性化する数種のヒートショックプロテイン例えば、ＨＳＰ７０やＨＳＰ４７、ＨＳＰ６０，ＨＳＰ９０、ＨＳＰ１０４の活性作用が加わるため、単に植物エキスを美白効果や抗酸化効果や老化防止効果として美容薬剤に混ぜて使用するよりも大きなアンチエイジング効果を生む技術に関するものである。【００１０】顔皮膚の内側に浸透させるビタミンＣ誘導体は体内酵素によりビタミンＣに分離して皮膚再生と美白効果の働きをするため、毛細血管の血流が炭酸の仂きにより単純温水の５倍以上に高まる作用を利用し、血流の増加による肌温度の上昇を作り出して体内酵素の働きを高め、ビタミンＣへの乖離効率を高くして、肌の再生と美白の効果を作り出すことに関する技術でもある。同時に、肌の内側に溜まった老廃物の血中への排泄も高まることによる、健康な肌への再生を助ける美容方法に関するものである。【００１１】さらに炭酸水を加温して炭酸温水として温度を安定に保ちながら前記薬剤の溶けた炭酸温水を皮膚の表面に長時間接触さて、絶えず上から下に流れ落ちるようにして循環させるようにした顔の美容技術に関するものである。又、お肌に触れる温度が４２度と云うのは熱く感じ過ぎて長くできないため、ヒートショックプロテインの活性化を十分に生じさせるために、炭酸温水の持つ低い温度で十分に温まる作用を用いて心地よい美容方法の開発技術に関するものである。【００１２】さらに、本発明は、炭酸水素ナトリウム水溶液にクエン酸、アスコルビン酸、リンゴ酸、酒石酸、フマル酸、コハク酸リン酸二水素ナトリウム、ポリアクリル酸、等のいずれか一つを加えて炭酸濃度が３００ｐｐｍを超えた液、好ましくは１０００ｐｐｍ以上３０００ｐｐｍのものを加温する。【００１３】又は、温水を用いて前記薬剤のどちらか又は各々を溶かして両者を混合して前記濃度の炭酸温水とし、この温度が冷えないように温めながら長時間顔に接触させて、顔の皮膚表面に炭酸温水の層を形成して、皮膚表面が炭酸温泉に顔を浸した状態と同じになるようにして行う顔の美容技術に関するものである。【００１４】この美容方法は、皮膚の外側にある角質層や表皮が外からの薬剤の侵入を防ぐ能力が極めて高いため、炭酸ガスが持つ皮膚吸収力が極めて高い性質を利用して、炭酸ガスが皮膚に吸収される流れにつられて、皮膚の外側からより多くの美容薬剤を吸収させるための技術に関するものであり、【００１５】表皮や真皮の中に薬剤がより多く届くように炭酸温水を用いると、炭酸ガスが皮膚を通り毛細血管の血流を増加させ、皮膚の新陳代謝を促進される仂きがあるため、ビタミンＣ誘導体及び細胞内のヒートショックプロテインを活性化させる植物エキスを皮膚により多く吸収させる働きが生まれる。【００１６】さらに皮膚温度を体温よりも高く保ちながら行うため、真皮層にあるコラー��ン、エラスチンの周りの細胞に熱が加わることで活性化するヒートショックプロテインのＨＳＰ４７やＨＳＰ７０によりコラーゲン、エラスチンの修復と再生が活発に行われる、同時に表皮層にあるシミの抑制や除去が行なわれるようになる技術に関するものである。【００１７】特開２０１１−１９０２００にヒートショックプロテインの発現を誘導する植物エキスとしてアルニカというキク科の植物エキスやサルビア及びマジョラムというシソ科又は、タツミソウ属のコガネバナの植物エキスにＨＳＰ７０（ヒートショックプロテイン７０）を発現させる働きがあることが開示されている。又、特開２００４−２３８２９７にはアルテミアエキスとしてプランクトン、アルテミア和名：ホウネンエビの孵化直前の耐久卵の水抽出した活性エキス成分がヒートショックプロテインを発現させることが開示されているのでこうしたエキスを加えた美容液を用いるとさらに効果的と考える。【００１８】本来ヒートショックプロテインは加熱により細胞内で熱で壊れたコラーゲンやエラスチンのタンパク質の構造を修復及び再生するタンパク質であり。細胞の生理的温度より３℃以上高い温度になると生体の防御機能タンパク質として発現する事が知られている。美容に於いては顔の皮膚を４２度程度で５分程度温めるだけで十分発現するものである。【００１９】温度を下げる場合は時間を長く温めることで十分発現する。本発明は顔の皮膚温度の調整と長く温度を保つ技術に関するものです。又、ヒートショックプロテイン発現作用を持つ植物エキスをこの美容法で使用する美容薬剤に加えるならばＨＳＰの発現効果をさらに増大させることが容易に期待できるものである。【００２０】本発明の装置は、炭酸温水に顔表面を接触させる際、桶などに入れた炭酸温水に身体を折り曲げて顔を浸すのではなく、ほぼ正面を向いた状態やエステ店などでは斜めにくつろいだ椅子に座ったままで使用できるようにした技術に関するものである。さらに持ち運びできる軽量で簡単な構造の美容器具とした顔の美容装置技術に関するものである。
【背景技術】
【００２１】  従来から、顔の美容に関しては、さまざまな方法が提案されてきた。代表的には、オイルによる顔のエステマッサージにより血行を良くすると共に栄養分を刷り込む方法である。あるいは、パックなどのように一枚の不織布に美容薬剤を染み込ませて時間をかけて栄養や水分を肌に補給する方法。その他、近年広く知られてきた２液を混ぜてジェル状のパックを顔に塗って、炭酸を発生させて行う冷温式の炭酸パックが売られている。【００２２】また、電極を使って電気の流れに乗せて美容薬剤を肌に吸収させる方法や超音波やスチームなどにより毛穴を広げて毛穴の汚れを取り除く方法等があるが、古くは単純に顔を冷やしておいてから蒸しタオルなどで温める美容法などが血行を良くして化粧の載りを改善する美容法として行われてきた。【００２３】この蒸しタオル美容法はどんな効果があるのかが解らなかったが、近年皮膚科学の進歩により、顔にも熱で発現してコラーゲンやエラスチンのタンパク質分子の壊れかかった形状を修復し健全なタンパク質にする働きとタンパク質の細胞再生を行うヒートショックプロテインＨＳＰ７０及びＨＳＰ４７が発現すること解明されてきた。しかも顔を保温することにより、血行促進と水分補給もできるため効果が生まれる作用機序も解ってきた。しかし、この蒸しタオル美容法は高い温度が１分と続かないと云う欠点もあった。本発明はこれらの問題を解決する技術に関するものである。【００２４】  また、炭酸温水をお面のような顔を覆う容器で息ができるよう鼻の部分が外側に開放されているようにした炭酸温水をシャワーのように顔にかけ流す美容方法として、特開２００８−１２２６８が公開されているが、この方法は大量の炭酸温水を顔の表面に流し続ける方法であり、またこの方法は装置が大型になり持ち運びができないため一般の人が購入して使用できないものであった。【００２５】また、顔にシャワーのように炭酸温水をかけ流すのには使用できるが、美容効果を高めるための美容薬剤を加えるためには使用する水量が多すぎて薬剤が薄まり過ぎて効果が得られない等の点を、本発明は解決した。【００２６】またこれを改良した持ち運びが可能な小型の炭酸温水美容方法と装置の出願である特許出願番号２０１１−１８６５３２の優先権主張をした出願番号２０１２−１８１９１１に、炭酸温水に美容薬剤を混ぜて顔の炭酸温水美容を行うものが開示されている。【００２７】この出願番号２０１２−１８１９１１の改良が必要な点は、女性にとって使用方法が難しすぎると云う点と赤外線温熱機構や美容装置外枠などがあるため重量が重すぎて顔を支えるのに疲れて使用していられないと云う実際の使用に向かない問題が在った。又、実際に使用する場合に不織布をセットするのが難しく、しかも、装置を顔に装着してからは、目の位置に不織布の目の位置を合わせ直すことができない問題を有していた。【００２８】液を顔の上部からかけ流す場合、不織布が全体的に絶えず均一に濡れているようにするには液の量が最低でも１分間に５０ｃｃは必要で、しかも循環管路内に滞留する薬剤の量を含めると７０ｃｃは必要となり薬剤が極めて薄くなる問題が在った。又、液を不織布の額部分に開口部を設けて顔の皮膚と不織布の間に注入さ��るため温度の高い温水を注ぐと、液が直接肌に触れるため熱くて使用できない問題があった。この装置の製作原価も極めて高く、販売価格で普及できない課題があった。本発明はこれらを全て解決した。【００２９】またゼリー状の薬剤に美容効果を持つ薬剤と炭酸水素ナトリウムと酸とを混合させて顔に塗り皮膚の表面で炭酸を生成させるゼリー状のパック剤が販売されている。これを１０分以上パックして皮膚に炭酸と美容薬剤を浸透させる炭酸ジェルパックとしてブームになったが、ジェル状になっているため使用後に拭き取って洗顔する必要があり手間が掛かるという問題があった。【００３０】しかも、この方法で使用するゼリー状の薬剤を使用する場合に薬剤の温度は冷たいため夏など熱い時は心地よいが、美容の目的である皮膚細胞にあるヒートショックプロテインを活性化させてコラーゲンやエラスチンとシミやシワを改善するために温度を上げることができないと云う問題を有している。
【発明が解決しようとする課題】
【００３１】  しかし、前記蒸しタオル美容法などの美容法では一時的に血行を良くするが、水分を皮膚の角質総と表皮層の厚みが０．２ｍｍ程度の範囲に一時的に補給することは出来るが、すぐに乾燥して肌は年齢相応の水分量に戻ってしまう。肌そのものをみずみずしく再生する以外に肌の水分量を蒸しタオルでは改善することができない。
【００３２】すなわち、一時的に肌を温めることで顔の毛細血管の血流を僅かに良くする程度で、長い間、高い温度を維持できないため、皮膚の内部細胞の新人代謝を促進させて、ヒートショックプロテインを活性化してシミやシワ又は美白効果が実感出来る程に改善することができない。また温める前に美容液を肌に塗っておいた場合でも、肌の防御作用が外からの薬剤の侵入を防ぐようになっているため、わずかしか浸透しない。効果としては少なくすぐに消えてしまうという課題がある。
【００３３】  本質的に肌の改善を行う為には、体が持つ本来の機能である新陳代謝を促進させることが大切である。言い換えると本質的に血行が良くなる皮膚の状態になり、さらには毛細血管自体を、肌に向かって発達させる作用が生まれる程の長い時間、高い温度が維持され、それが繰り返し肌に与えられて毛細血管の肌への増加を生み出す刺激となることが必要である。
【００３４】この点では炭酸温水で顔を覆うたねに炭酸温水を満たし面容器に顔を浸した状態が保てるように装着し、顔の皮膚に直接炭酸温水を触れさせる美容方法特開２００９−２１３８４９は考え方として一歩進んでいるが、実際には顔の形状が様々で水漏れして誰でも装着できないやという問題があった。
【００３５】また、鼻の部分が誰にでも適合しないため、これを解決しようとして強く装着すると口の所が変形して息がうまくできなくなると云う問題が生まれた。しかも鼻が解放で液の中にあるため、口で息を吸うと鼻からも息を吸う人が多く、呼吸の時に鼻から水が入り装着していられない、呼吸が出来ないと云う問題が生まれた。その上、窮屈で装着したいと思わない感覚的な嫌悪感が在ると云う問題があり、女性が受け入れられない商品と云う課題があった。
【００３６】  また、お湯の量が１０００ｃｃと極めて多くなるため美容効果のある高価な薬剤を使用するには不適である。又、温水を入れて置いても温度が下がりヒートショックプロテインの発現作用が得られるまでの温度の維持が出来ないと云う問題がある。しかも、一般的に美容薬剤の肌改善効果が開示されている濃度は１％から５％であり、多量の炭酸温水に、このように美容効果のある薬剤の濃度を高くして顔美容を行うことは高額となり利用出来ない課題がある。
【００３７】  また、前記炭酸ジェルパックは、本来炭酸ガスが温度の低い水に溶け易いと言う炭酸ガスの性質を考慮したためであるかは不明であるが、冷たい状態で使用するものであり、お肌に炭酸が吸収されて毛細血管が拡張してから、血行が良くなり肌が温まるものである。皮膚の温度を上げると毛細血管の血行が良くなる単純な加温による効果が得られない点で、シミ、シワ、肌荒れをヒートショックプロテインを発現させてお肌を改善する美容効果は得られないと云う問題がある。
【００３８】また使用した時、ジェル状のものを顔に厚く塗り炭酸ガスの発生が顔の皮膚上で気泡となりこれがぴちぴちとはじけるため、ひりつき感が生まれることや、使用後にジェル状の薬剤を綺麗に拭き取る必要がある事が使用感としては好くないと云う課題がある。一般的に使用時と使用後に気持ちが良い感覚が求められる。
【００３９】肌の老化は皮膚に向かって伸びている毛細血管の減少から始まると考えられる。赤ちゃんは毛細血管の塊のような状態だから、泣くと真っ赤になる。老化による毛細血管の減少で老廃物の排泄が衰えるようになり、さらに、この毛細血管から運ばれてくる酸素や栄養分、そして水分が減少して、お肌の新人代謝が低下しコラーゲンやエラスチンや天然保水因子（ＮＭＦ）やセラミドなど保水成分の生成力と水分の保持力が減少することによるものでしょう。これは老化と共に減少する肌の周りの毛細血管の減少からくると考えられます。
【００４０】この課題を改善し毛細血管を顔の皮膚表面に向かって発育させ、皮下の血流の増加をもたらすお肌を取り戻したいと云う課題がある。このためには毛細血管が肌の周りに発達するような刺激が繰り返される必要がある。それは同時に、皮下に溜まった老廃物の除去と、水分や栄養素や酸素の供給を若い時のようにスムーズに行える肌に成ることであり、この問題に答えること、この素肌美人願望に答えることが化粧品業界の願望であり課題である。このためには皮膚の加温と炭酸温水の併用が欠かせない要素である。
【００４１】また、肌に補給したいビタミンＣはより肌を通り抜け易くするため誘導体の形にしたものが広く販売されているが、これは皮膚内の分離酵素によってビタミンＣに分離されて初めて有効成分として仂くものであり、やはり肌細胞の新陳代謝が活発でなければ効果が得られにくいものである。毛細血管を流れる血流を増大させて肌細胞を活性化させなければ美容効果が半減するという課題がある。そして、化粧品業界にはお肌の持続的で効果的なアンチエイジングを生み出したいという課題がある。
【課題を解決するための手段】
【００４２】人は酸素を吸い炭酸ガスを吐き出しているが、これは吸った酸素が血液により細胞に運ばれて消費され、代わりに炭酸ガスが毛細血管を介して細胞から引き取って呼気により体外に排出している。炭酸ガスが高濃度に溶解した炭酸温水に肌を浸すと、炭酸の形で溶けた炭酸ガスは人間の全ての細胞で発生するものであるため細胞に浸透し易い性質を有し、皮膚から吸収され表皮層を通り２分程度で真皮層の毛細血管に到達して毛細血管を広げ血流を増加させる働きを持っている。
【００４３】真皮層まで吸収された炭酸ガスは毛細血管に入り、毛細血管内に炭酸ガスが増えると、体は酸素の欠乏状態が生まれたと判断し、血流を増大させようとして動脈から静脈へ向かう毛細血管の入り口にある筋肉弁を開いて血流を増加させます。炭酸ガスを血液に吸収させ素早く排出していきます。こうして毛細血管を流れる血液量が平常の血流に比べ炭酸温水浴は７倍に増えるという報告がある。
【００４４】この毛細血管の血流促進により、肌への酸素・水分・栄養の補給が増加され、同時に皮下に溜まった老廃物の回収効率が向上して、肌本来の新陳代謝が促進されます。体内酵素の活性化に依ってビタミンＣ誘導体がビタミンＣに分離する量が増加しビタミンＣとしてより強く作用する。炭酸温水で肌を浸すのを止めるとすぐに血流量は元に戻るが、炭酸温水による毛細血管の拡大刺激を繰り返して与えると、体はこうした刺激に対応する発達をして、毛細血管は弾力性を増し皮膚に向かって発達し、毛細血管とお肌細胞の間で老廃物除去力や細胞再生力を高めるように育って行くと考えられる。
【００４５】本発明においては、市販の蜂蜜容器のように細い口から液が出るような弾性容器の中に温水４０ｃｃ程度と炭酸水素ナトリウム溶液とビタミンＣ誘導体と他の美容薬剤とクエン酸等の酸を入れて良く溶かし、これを循環ポンプと所定の温度に温水を保つようにしてあるタンクに注入し、このタンクから循環ポンプにより顔の額上部に吐水する吐水部があり、
【００４６】この吐水部の所に、厚さ０．３ｍｍ程度のアルミ材でナマシ熱処理を施した材質の物で制作された顔の形状になじみ形状を保持させるための骨として使用し、これを手で顔に押し付けると簡単に形状通りに形造れる素材を２枚の薄い塩ビシートの間に挟んで一体化した蒸発防止シートと美容用パックシートとが固定されるクランプ機構があり、前記蒸発防止シートと美容用パックシートとの間に高濃度炭酸温水と美容成分を含む美容液を４０度より高くして供給され、肌の表面に美容液の層を作り、この美容液が徐々に下に流して行くようにして長時間、顔の皮膚表面がお風呂に入っている状態と等しい状態を作り出す方法を提案している。
【００４７】また、もう一つの方法として、前記蒸発防止シートと美容用パックシートとを重ねて外側に（顔から離れた方に）クランプして、この２枚のシートと顔の間に高濃度炭酸温水と美容成分を含む美容液を４０度以上の温度で供給して、肌の表面に美容液の膜を作り、この美容液が徐々に下に流れて行くようにして長時間、顔がお風呂に入った状態にする方法を提案している。
【００４８】また、ビタミンＣはシミやシワに大きな効果があるが、肌に吸収されにくいため、ビタミンＣ誘導体が色々開発されてきた、ビタミンＣ誘導体も肌の構成が油性質であるため吸収をさらに良くするため、ビタミンＥを付けるなどの開発がなされている。このような薬剤の他に、肌のヒートショックプロテインを誘発する植物エキスや、皮膚に加温水を加え、肌細胞自体がコラーゲンやエラスチンの再生を促して相乗効果が期待できるようにし、さらに、肌細胞の再生を刺激して誘発させる他の薬剤、例えばアミノ酸のペプチド数の少ないアミノ酸ペプチド剤も加え、肌のターンオーバーが正常かつ活発に行われるようにしている。
【００４９】さらに肌細胞内にヒートショックプロテインを誘発させて美容効果を高める目的で、４２度程度で１０００ｐｐｍ以上の高濃度炭酸温水が、その濃度が減少しないようにして肌に接触し続ける手段を提供している。さらに前記高濃度炭酸温水を１分間に２０ｃｃから１００ｃｃ位を連続的に供給できる方法を提案している。さらに、炭酸水を加熱して美容用パックシートの上方から供給し、顔全体を上から樹脂製の薄膜の蒸発防止シートで覆い、美容パックの浸みた美容液が顔の輪郭に密着し、蒸発防止シートで顔を密閉させて、肌を温水から出る蒸気で蒸すように保温できる美容方法を提案している。
【００５０】炭酸温水を連続的に供給する方法としては、顔の下部には、顎を抱え込むように塩化ビニール製の顔の形状になじむ温水受け部を設け、垂れてきた温水を受けて循環用チューブを通って加熱機構を有するタンクに送りタンクで再び所定温度、例えば体温より高い３９度から４７度程の温水に加熱しながら循環ポンプを介して、顔の額上部に供給する機構がある。
【００５１】このタンクに溶存炭酸ガス濃度が５００ｐｐｍから２０００ｐｐｍの高濃度炭酸水を３０ｃｃ程度を入れ、その中に各種ビタミンＣ誘導体の合計量で０．１％から７％以内の量又は、前記濃度のビタミンＣ誘導体と他の美容薬剤を溶かしたものを、電動ポンプ又は手動のポンプ形式の送り機構で温水受け部の液体を顔の額上部に送り循環させる方法を提案している。
【００５２】手動式ポンプで美容液を送る場合はタンクに加熱のための電気が使用できない低価格商品になるために、シリコン製のタンクか又は薄肉のポリエチレン製にしてお風呂に浸しながら、お風呂の中で温浴美容法を行うようにすることを提案する。又、薬剤は２液を使用の直前に混合して炭酸を発生させるため粉末の薬剤も使用し易いボデーは広口でキャッ部には先端が細くなっている出口がある容器を使用して２液を混ぜ合わせてから装置のタンクに注入できるようにしても良い。
【００５３】又は高濃度炭酸温水は、重炭酸ソーダを溶かしたものに、美容薬剤と酸を混合して炭酸温水を作っても良い。また、これを前記集液部に入れて液循環する過程で温度が下がらないように加温ヒーターを集液部から額の辺りに送水する管路の途中にシリコン被服でできた線状のヒーターを併設して炭酸水の温度を温水に保てる機構を加えることも効果的な方法であるためこうした方法も提案している。
【００５４】ここで、炭酸温水が肌と接触している間だけ、肌の真皮層にある毛細血管の血流が良くなるが、炭酸温水との接触を止めると血流は元に戻る為、１０分程度連続的に炭酸温水に肌が接触していることが望ましい。人間のタンパク質には熱を加えてある程度の時間が経過するとヒートショックプロテインが生まれ細胞修復の機能を発現誘導することが報告されている。今後のアンチエイジング美容法として顔のお風呂としての本美容法は使用する薬剤の研究もされていくでしょう。
【００５５】本発明の方法であれば、顔を炭酸温水と美容薬剤を含んだ美容液が不織布性の美容用パックシートに浸み込んで絶え間なく顔の肌表面をつたわって下に下がって行く状態で美容液がまんべんなくお肌に触れてお肌の表面がお風呂に入っている時のように水容液で包まれている状態になる、しかも液の温度が冷えないようにするためには、美容マスクの外側に断熱効果と蒸し状態が保たれるように蒸発防止の塩化ビニール製のカバーが顔の形状に軽く手でぴったり密着された状態で行われるため問題が解決する美容方法として提案している。
【００５６】蒸発防止カバーの中になまし処理を施した形状維持骨格として型抜き成形されたアルミの薄い板が装填され周りは液が入らないようにシールしている。また、この蒸発防止カバーを顔の周囲で固定できるようにするために両サイドの外側にゴム紐の装着路がありここにゴムを通し上部からゴムを締め上げるっと、ビニール製の蒸発防止カバーが顔を包むようにぴつたり装填されるようになっている。
【００５７】  この方法では、極めて少量の液、例えば２０ＣＣから４０ＣＣ位で十分に肌が潤うように前記美容液パックを行うことができるため美容薬剤の濃度を高くしても価格的に通常の化粧品価格として受け入れられる。従来の炭酸温水だけを顔に掛け流す美容方法は特開２００９−１２２６８で開示されているが炭酸温水だけでは効果が薄く、マスク型や顔に美容液をためて顔を覆って行う特開２００８−２１３８４９の美容方法では炭酸水の使用量が１０００ｃｃ以上となり混合する美容薬剤の濃度を価格上どうしても極めて薄くしなければならないため効果が期待できない。
【００５８】またビタミンＣ誘導体は皮膚細胞が油質で構成されているため肌の中に吸収しにくい問題を持っていた。これを解決するために高い濃度の炭酸が持つ肌への浸透力を用いビタミンＣ誘導体を肌により多く吸収させるものである。また肌の中に浸透したビタミンＣ誘導体がそれだけでは効果が極めて微小となる。これは、細胞内におけるビタミンＣ誘導体からビタミンＣへ分離する酵素の活性が各自の体質で異なることが効果に差を生む原因である。
【００５９】この個人差は薬剤だけでは補うことができない。これを解決するために肌細胞内に誰でも存在しているコラーゲンやエラスチンの再生作用を持つヒートショックプロテインを働かせることが容易にできなければならない。その上、肌の真皮層にある毛細管の血流増加と皮膚に向かう成長が細胞活性を持続させ促進させることで効果をより多く得られるようにする解決方法を提案している。
【００６０】また、目は女性のお化粧の最重要箇所であり、目力と言う言葉が生まれるぐらい大切な美容箇所である。しかし、近年職場はパソコンの仕事ばかりであるため目の疲れは目の衰えを増長し、しわや目の周りの黒ずみが取れないようになっている。テレビ宣伝で目の上だけを暖める温湿布のような商品まで販売されている。目の周りの筋肉内の毛細血管の血流を活発にして目の筋肉から疲労物質を取り除くと美しい目を取り戻すことが出来る。また目の疲れを取り除くことは睡眠や休息にも大切な要素である。
【００６１】  本発明の美容器具を使用することにより、顔全体と目の周りの血流が４０度以上に加熱した炭酸温水で温められ血行が改善し、さらに炭酸が浸透し毛細血管が拡張し血流が７倍に増加するため老廃物や筋肉疲労の素である乳酸の除去が早まり疲労が残らない。現代は日々のパソコン作業のため繰り返される疲労から徐々に目の周りの毛細血管が細くなり血流が減少して目の回りの皮膚の老化が進行している。
【００６２】炭酸温浴で温められ、さらに炭酸の働きで血流が通常の７倍に増加するため、毛細血管の弾力性が回復しパソコンの仕事で疲れた目を回復させ、目の周りの皮膚の老化を遅らせる事ができる。
【００６３】そして、炭酸入りの美容薬剤を顔の額上部に送り込むポンプがチューブポンプのように空気が入ってもスムーズに送れるもので微量の送水が可能なポンプであることが望ましい。また前記美容薬剤を美容用パックシートと顔の間に美容液を注ぐと不織布マスクがずり落ちてくるためこれを防止するように美容用パックシートの最上部に位置を上下させて顔に合わせられる長さにしてあり、クランプできる帯状の止め部分がある。この部分をクランプする機構は前記美容薬剤の注入口を有する供給部の側面で美容用パックシートと蒸発防止シートを抑えて固定するクランプ機構である。
【００６４】  そして、美容用パックシートと蒸発防止シートの間に又は、美容用パックシートと蒸発防止シートとを共にクランプしたものと顔との間に絶えず高濃度の前記美容薬剤を温度を加えて注ぎ込み垂れ流しの状態を保ちながら少しずつ肌に浸透させることができるようにしてある。このため単に冷たいパック布に前記美容薬剤を染み込ませただけのものより肌への前記美容薬剤の美容成分の吸収効果も増大する。
【００６５】  この顔の温水浴美容装置は装着しながら音楽を聴くなど椅子に腰掛けてくつろぐことができるため十分にパック時間を長く行うことが出来とともに、毎日の事務作業でパソコン作業からくる目の疲れを取り除きながらお顔のお風呂効果と化粧薬剤の美容効果を共に得ることができる。
【００６６】  本発明による温水浴美容装置は、顎の部分に垂れてきた美容液を受ける液受け部が塩ビ製の抜きシートを円錐形状に超音波で張り合わせた液受け部であり、リング形状の王冠型の頭に乗せる固定具の突起部分にゴムバンドを装着し、蒸発防止シートの両側から出ていているゴムバンドを引き上げながら顎の位置に合わせて王冠型の固定部分に固定する。この場合ゴムバンドを紐にしても同じ効果が得られる。これを固定したい１個所で固定する方法は市販のコードストッパーを用いて行うのが好ましい。
【００６７】この液受け部の下からチューブを介して加熱機構を有するタンクに回収しチューブポンプ式の循環ポンプにより炭酸水を顔の額上部に供給して循環させる供給方式のため、垂れ受けガイドは簡単に取り外して毎回良く洗うことが出来るものであるため営業用として使用する場合でも衛生的である。
【００６６】  また、炭酸温水生成装置のお風呂を所有している人は、お風呂を炭酸温水にしているため、そのお湯をきれいなうちに別容器に取って、炭酸水素ナトリウムとクエン酸などの成分を除いた美容薬剤だけをその炭酸温水と混ぜて、蓋をしてお風呂に浮かべておけば、入浴時に、手動式のポンプやタンクに入れ替えてお風呂の中で顔の温水浴美容法を行うことができる。
【００６７】  従来市販されている美容マスクに使用する美容用パックシートは、美容薬剤の含浸力が高い材質、例えば植物繊維を極めて細い糸にして作った液の含侵力、保持力が高い不織布マスクが望ましいものであったが。本発明においては不織布マスクのに含侵している美容薬剤に関係なく絶えず新しい薬剤が供給されるため、高価な不織布を使用する必要が無い。
【００６８】連続的に液を補給できるため安価な不織布で十分使用できる。今までのパック布によるパック美容の欠点は美容薬剤が触れている肌の位置から薬剤が移動できないため薬剤濃度が肌表面では徐々に薄くなり新しい薬剤と入れ替わらないので肌への浸透効果がだんだん減衰していく欠点があったが、これが取り除かれる。
【発明を実施するための形態】
【００６９】本発明は炭酸温水を顔の皮膚表面に流しながら皮膚温度を３８度から４５度近くに上げて、皮膚内にヒートショックプロテイン（略称：ＨＳＰ）を誘発させてコラーゲンやエラスチンの生産を促進又は修復させると共に、チロシナーゼの活性を下げてシミを防ぐ美容法を提供するもので、本発明ではこの美容法を炭酸ＨＳＰ美容法と記載する場合がある。本発明の実施例に於いて炭酸を含有する温水を使用しているが、炭酸を使用しなくても単なる温水だけでも皮膚温度を長時間高めることでヒートショックプロテインが発現誘導するため炭酸温水の使用に限定されるものではない。
【００７０】図１は本発明における顔美容器具１００を装着した状態を側面から見た場合の形状図を示している。顔美容器１００は頭部にかぶり髪の毛の上からリング状の王冠１７を押し込むようにセットする。後部にある調整ネジ部２０を右に回すとリング径が小さくなり左に回すと大きくなるよう調整できる仕組みになっている。詳しくは図３に記載。顔美容器具１００は顔の額上部に外カバー３と不織布マスク２を押さえて保持するクランプ機構１０１があり、この内部に美容液供給管２９が２個所から液を顔に供給できるように構成されている。
【００７１】前記美容液供給管２９は装着時に顔の額上部にあるクランプ機構１０１に軽く固定してあり不織布マスク２が顔の皮膚に接しその外側に外カバー３が配置されている、この２つの顔を覆うカバーの間に美容液を供給する美容液供給管２９が配置され美容液がガイド板１４により美容液の流れが不織布マスク２に近づくように美容液供給管２９からの液通路が狭くなった通路１５の隙間から不織布マスク２に伝わるようにして下に流れ落ちて行くようになっている。
【００７２】但し、これは限定される使用方法ではなく、不織布マスク２と外カバー３を２枚重ねて美容液供給管２９より外側の顔から遠い位置にクランプしても良い。この場合は美容液が顔のお肌に直接触れるため温度も冷めないで供給できる高温での炭酸ＨＳＰ美容法を行うことができる。
【００７３】顔の最も外側に位置する外カバー３は薄い塩ビシート２枚の間に図７に示すマスクの骨１が外周を塩ビシートどうしの接着により液が触れないようにシールされ固定されている。このマスクの骨１はナマシ処理をしたアルミ板で厚みは０．３ｍｍから０．６ｍｍの物が適している。形状は図７に於いて開示している。このマスクの骨１が内蔵された外カバー３を不織マスク２と共に上から手で顔に押し付けると顔の凹凸に習って形状が固定される。
【００７４】この外カバー３が顔との間に空間が生まれないように顔に沿って不織布マスク２を固定するため液が顔の全体に不織布マスク２に浸み込みながら下部全体に広がって流れ落ちて行くようになる。この時、外側カバー３の外周が外に向かって顔から離れて行かないために顔に張り付けるための働きをするゴムバンド９が外カバー３の外側にあるガイド３−ａを通して締め上げると不織布マスク２と外カバー３を顔に沿って密着させられるようになる。詳しくは図８に開示している。ゴムバンド９の上部にロック機構として市販のコードストッパー１０がありゴムバンド９を締め上げた位置でクランプできるようになっている。
【００７５】このゴムバンド９は王冠１７のリング部にある外側に曲がったた突起１８に引っ掛かって締め上げてもゴムバンド９の頭部にかかる位置がずれないようになっている。この外側カバー３と不織布マスク２を顔に装着した場合にどのような形状に変化するかが解るように正面から見た図が図２に開示している。使用してみると外側カバー３を顔に装着すると顔の皮膚から出る水蒸気と熱で温めなくてもお肌が蒸し風呂のように温まってくる。
【００７６】顔美容器具１００は装着して額部から美容液が供給されると美容液は下に垂れてきて、これを回収し温度が下がった分を加熱し再び顔の上部に供給する機構を備えている。そのため外カバー３の下部に外側から全体を包むように受け部５がひも１１によってあごの部分に密着させて引き上げながら装着できるようになっている。このひもはゴムバンドの様な物でも良い。又、このひも１１を頭の上で引き揚げながら固定できるようにコードストッパー１２が配置してある。
【００７７】高濃度に炭酸ガスを含有し各種美容薬剤を含有させた美容液を受け部５で集合して該受け部５の下部より回収チューブ７があり液漏れが起こらないようにパッキン６が具備している。又、回収チューブ７の途中には簡単に脱着できて液漏れのない市販のコネクター８が具備している。この回収チューブ７は図９の回収チューブ７を介してタンク３２に入りヒーター３４で温められてポンプの吸い込み管３８からポンプ３５に入り吐水管２３から顔上部のクランプ機構１０１の内部にある美容液供給管２９に液を送るようになっている。
【００７８】図２は顔美容器具１００を装着した状態が丸みを帯びていてしかも凹凸形状のある顔に、正面から見るとどのような形ちで装着されるかを図示したものである。図２に図示されている鼻からおでこにかけて外カバー３にたるみが生じる、たるみ１９として現れるがこれは眼と鼻の凹凸をマスクの骨１が変形して対応するためにこの部分にたるみとして生じるのである。この状態でマスクの骨１が顔の凹凸変化の通りに固定されて不織布マスク２を含めた形状が保たれるようになる。
【００７９】図２の図においてマスクの骨１の形状変化が図７に示される平面の時の形状と手で顔に押し付けて外カバー３が顔の形状に固定された時の形状は顎のあたりで大きく変化する。顎の部分の開いていた形がすぼまった形に変化することで顔の丸みに対応できるようになっている。図２で示されたように変形して顔の丸みになじむように固定できるのである。この外カバー３には中央部に１個所折り曲げ部１−ａがあり、鼻の頭をその部分に接するように合わせることで外カバー３の位置を決められるように成っている。
【００８０】また、リング状の王冠１７の上側には５か所の突起１８があり受け部５や外カバー３を引き上げて固定するゴムバンド９やひも１１が掛かるように外側に曲げてありこれによって前後位置がゴムバンド９を強く締め上げても前にずれていかないようになる。又、受け部５には外側に張り出した部分が受け部５を締め付けるひも１１を強く引き上げても受け部５の外側が口や鼻に近づかないように樹脂、又はなましアルミ線を中側に通して補強した樹脂製チューブの形状保持具２５が取りついている。
【００８１】受け部５には下部にパッキン６と回収チューブ７が液密に装着され脱着容易なジョイント８が配置されている。これはポンプに液を回収する回収チューブ７によってポンプの吸引力によりタンク３２に戻るようになっている。
炭酸含有美容液を顔の上部のクランプ機構１０１にある美容液供給管２９に供給するポンプからの吐水管２３には顔美容器具１００が簡単にポンプ側と切り離せるように市販のジョイント８が配置されている。これは軽くねじるだけで引き抜ける構造で液漏れも起こらないものである。
【００８２】図３は顔美容器具１００の全体を表したものである。王冠１７の上側になる部分に左右５か所合計１０か所に上が半円径の突起１８が外側に向けて４５度程度曲げられて配置されている。頭の後ろ側に来る部分にはリングの径を大きく又は小さくするための調整機２０が付いている。調整の方法は１８−ａと１８−ｂが円筒上に成っていてその中ほどに貫通したネジ部が１８−ｂ側にあり、１８−ａ側は穴でその前後がＥリングで回転しても抜け出さない構造になっている。ネジ部に一本のネジが架かりネジを回すと棒状ナット１８−ａと１８−ｂが近づいたり離れたりして王冠１７のリング径を調整できるようになっている。
【００８３】王冠１７にはクランプ機構１０１が容易に脱着可能な状態で接合できるようになっている。王冠１７側の立ち上がり板部１７−ａに具備している左右に張り出したボタン窓１６−ｃから突き出たボタン１６を左右から中心に向かって押し込むとクランプ機構１０１が図３に示した矢印の方向に外れる。また装着する場合はボタン１６を軽く押しながらクランプ機構１０１のピン３０を２個所の穴１６−ｄに押し込むと裏側でクランプボデー１６−ａが内蔵されたバネに逆らってさらに内側に移動し穴１６−ｄの内部にある溝の位置まで押し込まれクランプボデー１６−ａが戻ってロックされる。
【００８４】この構造はクランプボデー１６−ａは止めネジ１６−ｂとボタン窓１６−ｃをガイドにして内蔵されたバネ力で外側に常に圧力がかっているためになされる。クランプ機構１０１には脱着固定用にピン３０が２個所に配置されている。
図４はクランプ機構１０１を分解して美容液供給管２９がどのように美容液を不織布マスク２と外カバー３の間に供給できるようになっているかを示した図である。供給管取付け部２６は吐水管２３が２個所に出口を持つ美容液供給管２９に化粧版２７の穴を介して樹脂チューブで接続されている。また、方向固定板２７−ａにより装着時に手の邪魔にならないように方向が固定されている。
【００８５】ピン３０の反対側は長いシャフトに成っていて供給管取付け部２６の穴７とガイド板１４の穴３２に挿入されます。このピン３０がガイドになりクランプ本体１３に供給管取付け部２６とガイド板１４が容易にセットすることができるようになっている。ガイド板１４の下側は角度が付いていて美容液が不織布マスク２の方向に流れを導きより不織布マスク２に浸み込み易いようになっている。これはクランプ機構１０１が下側に開口したコの字型の部材の下側から顔側に液供給口を出す供給管取付け部２６を備えいるためで、前面に開いたコの字型であるクランプ本体のピンをガイドにして不織布マスクを押さえるように重ねて装着する事が簡単にできる構造になっている。
【００８６】供給管取付け部２６の上に外カバー３を重ね次に美容液を顔側に導くガイド板１４を重ねて押し込むとクランプ本体の左右の板がばねのように外に開いてそこにある突起１３−ａが外側に逃げてからガイド板１４が突起１３−ａの位置を過ぎると戻ってロックされる構造になっている。本発明では不織布マスク２と外側カバー３との間に美容液を流しているが不織布マスク２と外カバー３を図１に示されている外側カバーの位置に２つを重ねて取り付けて、炭酸含有美容液が直接顔の肌側に流れるようにして供給することもでき。この状態では液の温度が高く保てるためよりヒートショックプロテインの活性化をより多く発現誘導させることができる。
【００８７】図５は不織布マスク２の平面図である。このマスクの特徴はマスクを固定し、その固定する部分の位置を上下することで、個人差がある目の位置に合わせられるように調整できることで、そのため上部に長く伸びた吊り上げ部２−ａが在る点である。下側の逆Ｖ字型の切欠きは無くてもセット機能には差支えが無いものである。現在の形状は外径がほぼ円の形に近くなっているが、顔に接触する部分の形状はお客様の要望によって決めるのが良いので機能や効果に大きく影響するものではない。
【００８８】図６に示すものは、外カバー３の装着前の形状を示している。平面的な形状のマスク骨１はプレス抜き加工で作成したものを極めて薄い塩ビシートで裏と表からから挟んでマスク骨の外周を超音波溶接機でシールしたものでこの２枚の塩ビシートの間にゴムホースを通す通路３−ａを両側に設けてあり中央部には顔との位置決めのたに鼻の頭を当てて位置が決まるように、顔側に曲げて置く曲げ部１−ａが用意されている。外カバーにも吊り上げ部３−ａが用意されている。
【００８９】図７はマスク骨１の手で押しつけて顔の形状に変形する前のかたちである。
本発明の実施例ではアルミニウムの焼きなました板材厚さ０．４ｍｍのものを使用しているが０．２ｍｍから０．６ｍｍ程度までは使用できる。又、焼きなまししたアルミニウム丸材で図７の田達に似たものを形成しても良く、極めて細い０．１ｍｍ以下の板材や丸材で成形する場合は焼きなましにこだわる必要がない。又、ポリエチレンなどの樹脂製の板材で形状が固定できる材質が開発されてきたがそうしたもので形成しても良い。又、射出成形機によって成形できる材質で柔らかく押し付けただけで形状固定ができる材質が開発されればさらに好ましい。
【００９０】図８は顔に装着した場合のマスク骨１の形状であるが、販売時点で形状をある程度顔の形に近く成形してお客様に届けるためのものです。平面のままユーザーに渡すと手の力の入れ具合で斜めに変形したりするため前もってマネキンなどの顔を使って予備成形を行なった後の形です。
図９はポンプ３５が組み込まれている加熱循環機器１０２の内部の構造を示している。カバー４２は図から見て前後にある４か所の穴で本体ケース３３にビス止めされている。円筒上のタンク３２の外側に連結した部分にキャップ４５によって美容液を入れる口を液密に塞ぐようになっている。まず初めに、このキャップ４５を引き抜いて美容液を入れます。次に電源コード３６を家庭用電源に接続します。次に顔美容器具１００を顔に装着した後で、接続ジョイント８を接続します。
【００９１】加熱スイッチ４１をＯＮにします。このスイッチでヒーター３４に電源が入ります。配線は（図示せず）５分程したら温度が４２度ほどに上昇します。それからポンプスイッチ４０をＯＮにします。炭酸美容液が加熱循環機器１０２の上部の２個所の美容液供給管２９に送られます。温められた液は顔を伝わって顔を温めながら下の流れてきます。この時のポンプ吐出流量は１分間に３０ｃｃから１００ｃｃが適当であることが実験の結果わかった。ポンプの送り量が少ないと顔の顎まで温まらないうちに冷えてしまうからです。
【００９２】タンク３２からポンプ３５に吸い込み管３８から吸引されて吐水管２３を通って美容液供給管２９に送られます。このように１０分程度顔の４２度近傍の炭酸温浴美容を行うとＨＳＰ４７やＨＳＰ７０、その他のヒートショックプロテインが発現誘導されてコラーゲンやエラスチンの修復と再生に仂きチロシナーゼの活性を押さえてお肌に張りと美白効果をもたらします。実験したものはヒーターの熱量で４２度が保てるようにしたが、炭酸美容液の加熱温度を好む温度に制御できる電気的な制御機構を設けると商品としてはさらに良いものになる。
【００９３】図１０は前記の加熱循環機器１０２の代わりに、家庭のお風呂の中で炭酸温浴美容を行うための美容液循環器具１０３を提案している。ゴムや柔らかい弾力性を持つ樹脂で球状又は円盤場や筒状のクッションタンク４５に美容液を入れて図１３のように蓋５０で液密状態にしてお風呂に入れて置き自分がお風呂に入る時に、蓋５０をはづして逆止弁キャップ４６を差し込みます。
【００９４】この逆止弁キャップ４６には前もって受け部５からの回収チューブ７と吐水管２３を接続して置きます。顔に顔美容器具１００を装着して手でクッションタンク４５を押して美容液を顔の方に送り出します離すと弾力性のタンク部が元に戻ろうとするので受け部５から炭酸美容液を吸い込むため繰り返すことで炭酸温水浴美容が行えます。逆止弁キャップ４６には吐水管２３に接続部４７−ｄがあり回収チューブ７に接続部４７−ｃを備えている。各々内部には逆止弁が有り液の流れが１方向に調整されている。この逆止弁は簡単なシート１枚で出来たものでも良い。吐水導入管４９は弾力性のクッションタンク４５の底から液を送り出せるように長くなっている。
【００９５】図１１は図１０の外観図である。図１２は逆止弁キャップ４６のユニット外観図である。図１３はクッションタンク４５にキャップ５０を液密に塞ぐために装着した状態を示す。
【００９６】炭酸美容薬剤としては使用時に２液を混合して炭酸を発生させるものが好ましく一方の液をＡ液としてこの中には炭酸水素ナトリウムが入っていて
他方の液をＢ液としこの中にはリン酸−アスコルビン酸マグネシウム、リン酸−アスコルビン酸ナトリウム、アスコルビン酸−２リン酸−６パルチミン酸、  パルチミン酸アスコルビルリン酸３Ｎａ、アスコルビル／トコフェリル）リン酸Ｋ、Ｌ−アスコルビン酸２−グルコシドの少なくても１つ以上のビタミンＣ誘導体と、水と、炭酸ガス発生に必要な酸としてクエン酸、アスコルビン酸、リンゴ酸、フマル酸、コハク酸の少なくても１つ以上が混合されている。
【００９７】  また、その他の美容効果を持つ薬剤としてはグルコシルヘスペリジン、エラグ酸、グリチルリチン酸２カリウム、ウルソル酸、アルジルリン（アセチルヘキサペプチド−３）、マトリキシル（パルミトイルペンタペプチド−４）、パルミトイルテトラペプチド−７、パルミトイルオリゴペプチド、カッコンエキス、レチノール、水溶性コラーゲン、加水分解エラスチン、アテロコラーゲン、ジグリセリン、ＢＧ（１，３−ブチレングリコール）、１，２−ペンタジオール、ポリグルタミン酸、乳酸Ｎａ、ＰＣＡ−Ｎａ，プロパンジオール、グリシルグリシン、ポリオクタニウーム−５１、６１、６４、６５、ナイアシン（ビタミンＢ３）、リノレン酸、オレアノール酸、アビゲニン、ベタイン、パルミトイルトリペプチドー５、ヒトオリゴペプチド−１、アスパラギン酸ナトリウム、アラニン、アラントイン、アルギニン、イソロイシン、イノシン酸２Ｎａ、グアニル酸２Ｎａ、グリシン、グルタミン酸、セリン、タウリン、チロシン、トレオニン、バリン、ヒスチジンＨＣＬ、フェニルアラニン、プロリン、リシンＨＣＬ、ロイシン等のアミノ酸類やセイヨウオオバコ種子エキス、ヒメフウロエキス等の１つ以上が炭酸発生薬剤の酸性側薬剤に混合されているのが望ましい。
【発明の効果】
【００９８】従来の美容方ではなかった顔浴を、温かい高濃度炭酸温水にすると炭酸ガスが肌表面から皮下組織まで浸透する性質が一層増して毛細血管の血行促進や発達を得るものである。これにより毛細血管の血流を促し新陳代謝も活発にすることから、皮下の老廃物の除去と肌細胞への水分や栄養の補給が活発になり、肌本来の美しさを取り戻すことが出来る。また、高濃度炭酸温水による顔浴パックを続けることにより毛細血管が肌に向かって発達し、恒久的に肌を若返らせることができる。この時、美容液温度を生体温度３７度より３℃以上上げると各種のヒートショックプロテインが発現誘導されると云うことが知られてきた。そこで皮膚温度を４２度まで高く上げることができればヒートショックプロテインの発現誘導は活発になり様々な種類の化粧品の使用効果を高めることができる。また、本発明の炭酸ＨＳＰ美容法続けることで人間のお肌のタンパク質の中にある若さを保とうとする働きを高めるため根本的な若さの維持に貢献できる。
【００９９】本発明により手軽に高濃度炭酸温水による顔浴パックが出来るようになるため、毎日続けることが可能になる。また、顔もお風呂に入れて顔の血行を良くするとお肌の新陳代謝を良くして老化が遅れるのですが、これが毎日、顔を温水に浸けるような苦しい屈んだ姿勢をしないで楽な状態でできるため高濃度炭酸温水による顔浴パックを少なくとも１０分以上は連続して行う事が容易である。
【００１００】また、高濃度炭酸温水だけではなく、付加的にビタミンＣ誘導体やアミノ酸や加水分解コラーゲンや皮膚の再生促進効果のある天然由来の抽出物、アレルギー抑制効果物質、保水及び保湿物質などを混ぜることによりさらに効果を上げることが期待できる。炭酸水美容方法は顔の血行を良くする働きだけでなく、炭酸による血行促進作用と温熱作用を重ねて行うことができるため、通常のジェルパック美容法のように冷えた状態で行う美容法に比べて、はるかに効果的である。
【図面の簡単な説明】
【０１０１】
【図１】本発明の実施例における顔美容器具１００の装着状態の側面図を示す。
【図２】顔美容器具１００を装着した状態正面から見た装着図を示しす。
【図３】顔美容器具１００の全体を表した図を示す。
【図４】クランプ機構１０１の分解図を示す。
【図５】不織布マスク２の平面図を示す。
【図６】外カバー３の装着前の平面形状を示す。
【図７】マスク骨１の顔の形状に変形する前の形を示す。
【図８】マスク骨１を販売する場合の顔形状に成形した状態を示す。
【図９】ポンプ３５を内蔵した加熱循環機器１０２の内部の構造を示す。
【図１０】家庭のお風呂で炭酸温浴美容を行う美容液循環器具を示す。
【図１１】家庭用の美容液循環器具１０３の外観図を示す。
【図１２】逆止弁キャップ４６のユニット外観図を示す
【図１３】クッションタンク４５にキャップ５０を装着した状態を示す。
【符号の説明】
【０１０２】顔美容器具１００、王冠１７、調整ネジ部２０、外カバー３、不織布マスク２、クランプ機構１０１、美容液供給管２９、ガイド板１４、通路１５、マスクの骨１、ゴムバンド９、ガイド３−ａ、コードストッパー１０、突起１８、受け部５、ひも１１、コードストッパー１２、受け部５、回収チューブ７、パッキン６、コネクター８、回収チューブ７、タンク３２、ヒーター３４、吸い込み管３８、ポンプ３５、吐水管２３、マスクの骨１、折り曲げ部１−ａ、王冠１７、突起１８、、形状保持具２５、パッキン６、吐水管２３、ジョイント８、調整機２０、棒状ナット１８−ａと１８−ｂ、立ち上がり板部１７−ａ、ボタン窓１６−ｃ、ボタン１６、クランプ機構１０１、ピン３０、穴１６−ｄ、クランプボデー１６−ａ、穴１６−ｄ、クランプボデー１６−ａ、止めネジ１６−ｂ、ボタン窓１６−ｃ、脱着固定用にピン３０、方向固定板２７−ａ、クランプ本体１３、供給管取付け部２６、ガイド板１４、吊り上げ部２−ａ、通路３−ａ、曲げ部１−ａ、吊り上げ部３−ａ、加熱循環機器１０２、カバー４２、ケース３３、キャップ４５、加熱スイッチ４１、ヒーター３４、ポンプスイッチ４０、加熱循環機器１０２、美容液循環器具１０３、吸い込み管３８、吐水管２３、供給管２９、加熱循環機器１０２、クッションタンク４５、蓋５０、逆止弁キャップ４６、接続部４７−ｄ、接続部７−ｃ、
【図１】
2016077836.tif 000003
【図２】
2016077836.tif 000004
【図３】
2016077836.tif 000005
【図４】
2016077836.tif 000006
【図５】
2016077836.tif 000007
【図６】
2016077836.tif 000008
【図７】
2016077836.tif 000009
【図８】
2016077836.tif 000010
【図９】
2016077836.tif 000011
【図１０】
2016077836.tif 000012
【図１１】
2016077836.tif 000013
【図１２】
2016077836.tif 000014
【図１３】
2016077836.tif 000015